(57)【要約】【課題】特にスタンドが同時に動いて車両両側を支え、車両が横に傾いたり転倒するのを防ぐスタンドの構造を提供する。【解決手段】二輪車両の静態時に使用する転倒防止スタンドの構造において、該スタンド３０は同時作動可能という条件の下、異なる車種や異なる地面高度等に適用する作用を備え、外管１１を配置した本体を含み、それによって車両底部を固定する。内管１３は回転自在に該外管１１内に収めることができる。該内管１３の両端には、それぞれスタンド３０とスタンドを初期位置に戻す弾性部品２０を枢着する。外力によってスタンド３０が操作された時、同時にもう一方のスタンドも作動され、共に該車両の両側を支えることを特徴とする。【選択図】図１
0003138872.tif 000002
【実用新案登録請求の範囲】
【請求項１】
二輪車両の静態時に使用する転倒防止スタンドの構造において、
外管に配置し、車両底部に固定される本体と、
回転自在に該外管内に納められる内管とを含んでおり、
該内管の両端にはそれぞれスタンドを枢設し、該スタンドは該内管の回転によって同時作動され、
該スタンドを初期位置に戻す弾性部品が、該本体上に配置されることを特徴とする、二輪車両の静態時に使用する転倒防止スタンドの構造。
【請求項２】
前記弾性部品の一端は、外管上に形成した切口を通過し、該内管の中央位置上に枢接されることを特徴とする、請求項１に記載の二輪車両の静態時に使用する転倒防止スタンドの構造。
【請求項３】
前記の最低一つのスタンドの最低一部分は、自在に移動可能な状態で嵌合管内に取り付けられることを特徴とする、請求項１に記載の二輪車両の静態時に使用する転倒防止スタンドの構造。
【請求項４】
前記嵌合管は、内管上に枢接した固定端と、開口端と、該スタンドを開口端から嵌合管に進入させる為の溝と、該溝を通りスタンドと嵌合管を固定させる為の固定部品を含むことを特徴とする、請求項３に記載の二輪車両の静態時に使用する転倒防止スタンドの構造。
【請求項５】
前記嵌合管の表面には粗目部を設けることを特徴とする、請求項３に記載の二輪車両の静態時に使用する転倒防止スタンドの構造。
【請求項６】
前記粗目部は、凹凸組織に配列された形態を呈することを特徴とする、請求項５に記載の二輪車両の静態時に使用する転倒防止スタンドの構造。
【請求項７】
前記内管の両端には連接部を設置し、該連接部は長方形形状を成す溝孔を有し、固定部品を組み合わせてスタンドと連接部を固定することを特徴とする、請求項１に記載の二輪車両の静態時に使用する転倒防止スタンド構造。
【請求項８】
前記スタンドは最低一部分が外方向に広がる形状を有することを特徴とする、請求項１に記載の二輪車両の静態時に使用する転倒防止スタンドの構造。
【請求項９】
前記内管の両端には枢接部を配置し、それぞれ該スタンドを枢接することを特徴とする、請求項１に記載の二輪車両の静態時に使用する転倒防止スタンドの構造。
【請求項１０】
前記枢接部は、壁または制御体を備えることを特徴とする、請求項９に記載の二輪車両の静態時に使用する転倒防止スタンドの構造。
【請求項１１】
前記壁または制御体は、スタンドと車両底部の夾角（α）を９０度より大きくすることを特徴とする、請求項１０に記載の二輪車両の静態時に使用する転倒防止スタンドの構造。
【請求項１２】
前記スタンド構造には定位装置を設置し、該定位装置は凹穴と凸肋体の組み合わせにより嵌合制止することを特徴とする、請求項１に記載の二輪車両の静態時に使用する転倒防止スタンドの構造。
【請求項１３】
両端にそれぞれスタンドを連接した軸管と、該軸管を回転可能状態で車両底部に固定する凹部と、スタンドを初期位置に戻す弾性部品とを含む、二輪車両の静態時に使用する転倒防止スタンドの構造。
【請求項１４】
前記凹部は本体上に設置することを特徴とする、請求項１３に記載の二輪車両の静態時に使用する転倒防止スタンドの構造。
【請求項１５】
前記弾性部品は両端を有し、それぞれを車両底部と軸管上に固定することを特徴とする、請求項１３に記載の二輪車両の静態時に使用する転倒防止スタンドの構造。
【請求項１６】
前記弾性部品は両端を有し、それぞれを該本体と軸管上に固定することを特徴とする、請求項１４に記載の二輪車両の静態時に使用する転倒防止スタンドの構造。
【請求項１７】
前記スタンドには支柱を設置することを特徴とする、請求項１３に記載の二輪車両の静態時に使用する転倒防止スタンドの構造。
【請求項１８】
前記スタンドには、最低一部分に外方向に広がる形状を形成することを特徴とする、請求項１３に記載の二輪車両の静態時に使用する転倒防止スタンドの構造。
【請求項１９】
前記凹部上には壁または制御体を設置することを特徴とする、請求項１３に記載の二輪車両の静態時に使用する転倒防止スタンドの構造。
【考案の詳細な説明】
【技術分野】
【０００１】
本考案は、長さまたは枢接位置を調節可能なスタンド構造に関するもので、特に、二輪車両に使用するスタンド構造であり、スタンドが同時に動いて車両両側を支え、車両が横に傾いたり転倒するのを防ぐ実用新案構造である。
【背景技術】
【０００２】
人が簡単に操作して交通手段とすることができる二輪車両には、例えば、オートバイや自転車があり、これらは既に公知技術である。通常、これらの交通手段にはスタンドを配置しており、車両を駐輪したり非使用状態である場合、これらの車両を支えて転倒しないようにしている。台湾第91205962号「オートバイや車両のスタンド」、第79208353号「オートバイのスタンド」特許案等に、典型的な実施例が見られる。
【０００３】
公知のスタンドもまた補助スタンドを含んでおり、特に、該スタンドを人が簡単操作で斜めに押し出すことによって、使用していない二輪車両を支えて、車両を若干傾斜した状態で静置または臨時駐輪させることができる。これらの技術に熟練した者が、周知のとおり上述のスタンドと比較すると、この補助スタンドは実際操作において、比較的力を使わず簡便である故、運転者に好まれて使用されている。しかし、基本的にはこれにもまたリスクが存在する。例えば、うっかりまたは不当な外力によって、静置した車両の補助スタンドを配置していないもう一方側への転倒が比較的起き易いことである。本年（2007年）には、若干傾斜して駐輪されたオートバイがもう一方側へ転倒した故に、上に乗っていた児童が思わぬ事故に遭った例が報告されている。
【０００４】
公知技術にも既に補助スタンドが提供されており、それは、オートバイの両側にそれぞれ配置するものであり、特に、荷物を搭載するオートバイ上に配置されている。しかし、これらのスタンドは設計上、個別操作をしなければならず、構造設計上理想的ではない。
【特許文献１】台湾第91205962号「オートバイや車両のスタンド」
【特許文献２】台湾第79208353号「オートバイのスタンド」
【考案の開示】
【考案が解決しようとする課題】
【０００５】
上述の引用文献は、補助スタンドを二輪車両に応用した公知技術を開示したものである。該補助スタンドを改めて設計し、並びに、その構造を公知のものと異なるものにすることを考えるのなら、使用と操作形態を改善することができ、過去の物とは別のものになるだろう。例えば、その構造に、同時作動可能という条件の下、異なる車種や異なる地面からの高さに適用できる効果を同時に備えさせる等である。これらの課題は、前述の引用文献中には表示または開示されていないものである。
【課題を解決するための手段】
【０００６】
本考案の主な目的は、次の二輪車両の静態時に使用する転倒防止スタンドの構造を提供するものである。該スタンドは、同時作動という条件の下、異なる車種や異なる地面の高さ等に適用する作用を兼ね備えたものである。該構造には、外管に配置し車両底部を固定される本体と、回転自在で該外管内に納められる内管とを含んでおり、該内管の両端には、それぞれスタンドとスタンドを初期位置に戻す弾性部品を枢設し、外力が一つのスタンドを操作した時、同時にもう一つのスタンドもまた動かされ、共に該車両の両側を支えるものである。
【０００７】
本考案の二輪車両の静態時に使用する転倒防止スタンドの構造において、最低一つのスタンドの一部分または全部は、嵌合管内に嵌設して自在に移動できる。該嵌合管は溝を備え、スタンドは該溝の対応する嵌合管に沿って移動、長さまたは距離位置を調節できる。固定部品は、該溝を通って、スタンドと嵌合管を固定する。
【０００８】
本考案の二輪車両の静態時に使用する転倒防止スタンドの構造において、外管を配置した本体は、車両底部に固定される。該外管両端には、それぞれスタンドとスタンドを初期位置に戻す弾性部品を連接する。外力で一つのスタンドを操作した時は、もう一つのスタンドを同時に動かし共に該車両の両側を支える。
【０００９】
本考案の二輪車両の静態時に使用する転倒防止スタンドの構造において、該スタンドは最低一部分が外方向に広がる形状を成している。
【考案の効果】
【００１０】
以上説明したように本考案は、長さまたは枢接位置を調節でき、スタンドが同時に動いて車両両側を支え、車両が横に傾いたり転倒するのを防ぐことを特徴とする。
【考案を実施するための最良の形態】
【００１１】
本考案が備える新規性、特徴、その他目的と効果を理解して戴く為に、下記に図面を添付して詳細説明を加える。
【実施例１】
【００１２】
図１と図２に、本考案の二輪車両の静態時に使用する転倒防止スタンドの構造において採用した実施例を示す。該実施例には、車両底部に取り付けまたは固定可能な本体１０を含む。該本体１０は、中空形態を成す外管１１を含み、該外管１１はほぼ中央に位置しており、一つの切口１２を備える。内管１３とバネ１４は、該外管１１に内設され回転自在である。弾性部品２０の両端は、それぞれ本体１０と内管１３上に固定されている。詳細すると、弾性部品２０の一端は、該外管切口１２を通過し、内管１３の中央位置上に枢設または固定されている。弾性部品２０は、内管１３を初期位置または角度に戻す助けをする。これについては、下記にて説明を加える。
【００１３】
一つの具体的な実施例において、枢接部３１は内管１３の両端に設置され、スタンド３０を各々枢接している。よって、図３、図４、図５は、オートバイを説明する実施例において、外力によってスタンド３０を図中下方方向に動かすように操作した（図３の仮想線によって示した状況）時、該内管１３は回転し、同時にもう一方のスタンド３０を図中下方に回転させ、共同で該車両χの両側を支える。これは図６に描いた状況である。該スタンド３０のサポート状態を解除しようとした時、車両χを支え、スタンド３０箇所を宙に浮かせる状態にするだけでよく、組み合わされた前述の弾性部品２０の力によって、スタンド３０が軽く押し戻されると、図１または図３の実線部分で示した初期位置まで戻る。
【００１４】
図４、図５に示した良好な実施例において、スタンド３０を図中下方方向に動かした（図５の矢印部分で示した状況）時、スタンド３０の移動範囲は、該枢接部３１の壁または制御体３２の組み合わせによって決定されるか制限される。前述の壁または制御体３２は、スタンド３０の移動が図中に示した垂直参考軸の位置を超えるのを許容するか、スタンド３０と車両χ底部の夾角αを９０度以上にすることができる。このスタンド構造には、定位装置（例えば、凹穴と凸肋体の組み合わせによって形成する嵌止作用、または自転車側面支え棒の弾性嵌止装置等のような類似構造）を設置することにより、移動後のスタンド３０を補助固定することも可能である。
【００１５】
本考案の良好な実施例において、最低一つのスタンド３０の一部分または全部は、嵌合管４０内に取り付けて移動自在にする。図１、図２において特別に示した該嵌合管４０は固定端４１を有し、内管１２上に枢接する。嵌合管４０はまた開口端４２と溝４３を備え、スタンド３０は該開口端４２から嵌合管４０に進入し、並びに、該溝４３に対応する嵌合管４０に沿って移動、長さまたは距離位置を調節できる。固定部品５０は、該溝４３を通って、スタンド３０と嵌合管４０を固定する。
【００１６】
前述のスタンド３０、嵌合管４０、溝４３等の構成要素を組み合わせた設計により、該スタンド３０に長さや位置の調節作用をもたらし、該本体１０とスタンド３０が異なる高さを持つ二輪車両上に応用できるようにするのを助ける。ある応用状況において、例えば、運転者が車両をデコボコしていたり窪みのある地面に一時駐輪する時等は、簡便な操作手段を提供し、運転者は状況に応じて該スタンド１０と嵌合管４０間の長さや位置を調節することにより、特殊な地面や地点に適応できるようにする。
【００１７】
良好な実施例において、溝４３両側の嵌合管４０表面に、粗目部４４を設けることも可能である。本考案が採用した実施例は、凹凸組織を配列した形状である。前述の粗目部４４は、固定部品５０、嵌合管４０、スタンド３０間の固定作用を強化する。
【実施例２】
【００１８】
図７において、本考案のスタンド６０のもう一つの実施例を示した。該スタンド６０は頭端６１を含み、固定部品５１を組み合わせて本体１０の内管１３に枢接する。図７はまた、本実施例において、溝孔７１を持つ連接部７０が内管１３両端に設置されていることを示している。溝孔７１は長方形であり、溝孔７１を組み合わせたスタンド６０は、溝孔７１で移動し長さや距離位置を調節できる。その後、固定部品５１によってスタンド３０と連接部７０を固定する。このスタンド６０はまた、前述で取り上げた実施例と同様に、嵌合管を組み合わせた構造の実施例とすることも可能である。
【００１９】
本考案で採用した良好な実施例において、このスタンド６０は最低一部分が外方向に広がっている形状を成しており、比較的大きな底面積を作ることができる。該車両χの両側を共に支えている図を、図８に示す。
【００２０】
図９は、本考案のスタンド構造の一実施例を示しており、それは、軸管８１を配置した本体８０を含み、車両底部に固定される。本体８０は、該軸管８１を固定する為の凹部８２を備えるが、軸管８１は回転可能である。該軸管８１の両端はそれぞれ、スタンド８３と、スタンド８３を初期位置に戻す弾性部品２０に連接している。弾性部品２０の両端はそれぞれ、本体８０と該軸管８１上に固定しており、スタンド８３を初期位置または角度に戻すのを助けている。図９の仮想線部分は、二つのスタンド８３間に、該スタンド構造の強度を強化する為の支柱８４を設置可能であることを示している。
【実施例３】
【００２１】
図１０は、本考案のスタンド構造の別の可能実施例であり、それは軸管８１と凹部８５を含んでいる。該凹部８５は、軸管８１を車両底部に固定させるものであるが、軸管８１は回転可能状態にある。軸管８１両端は、それぞれスタンド８６とスタンド８６を初期位置に戻す弾性部品２０に連接している。該弾性部品２０両端は、それぞれ車両底部と該軸管８１上に固定しており、スタンド８６を初期位置または角度に戻すのを助けている。図１０の仮想線部分は、二つのスタンド８６上に、スタンド構造強度を強化する為の支柱８７を設置可能であることを示している。
【００２２】
理解すべき点は、外力によって操作された一つのスタンド８６が下方向に動く時、該軸管８１の回転を経て、同時にもう一つのスタンド８６もまた下方向に動かされ、共に該車両χの両側を支える点であり、これは図１１のような状態である。図１１はまた、一つの良好な状況において、スタンド８６の垂直長さがほぼ車両底部から地面の距離と同じであるなら、左、右両側のスタンド８６と車両χの前、後輪の四つの支点によって地面に支えられることを示している。
【実施例４】
【００２３】
図１２、図１３は、本考案のスタンド構造のまた別の実施例を示している。それは軸管９１と凹部９２を含んでおり、該凹部９２は、軸管９１を自転車底部のフレームｙ上に固定させる為のものであるが、軸管９１は回転可能である。軸管９１両端は、それぞれスタンド９３とスタンド９３を初期位置に戻す弾性部品２０に連接している。弾性部品２０の両端は、それぞれ自転車底部のフレームｙと軸管９１上に固定しており、スタンド９３が初期位置または角度に戻るのを助けている。
【００２４】
前述の実施例において、スタンド８３、８６、９３の移動範囲は、凹部８２、８５、９２上に設けた壁または制御体８８、８９、９４の組合せにより決定または限制されている。これを変化させた実施例において、壁または制御体８８、８９、９４は、該スタンド構造または車両χのその他位置に設置することも可能である。
【００２５】
総合すると、この二輪車両の静態時に使用する転倒防止スタンドの構造は、操作者が簡単で気軽に車両χ両側に配置したスタンド３０、６０、８３、８６を同時に動かすことができる構造である。また操作者は、簡便な操作でスタンド３０、６０と嵌合管４０、溝４３（または連接部７０、溝孔７１）間の長さや距離位置を調節することができ、異なる車両上に応用したり、臨機応変に特殊な地面や地点に適応させられる。よって本考案は、効果的な改良を提供し、その空間形態は公知のものと異なり、公知技術には未曾有の機能を持ち、大躍進を遂げ、実用新案登録要件に十分符合するものである。
【００２６】
但し、前述したものは、ただ本考案の実施例の為のものであり、本考案の実施範囲を限定するものではない。本考案の実用新案登録の請求範囲に開示した変化や修飾は全て、本考案の実用新案登録の請求範囲に含まれるものとする。
【図面の簡単な説明】
【００２７】
【図１】本考案の外観図
【図２】図１の構造分解図
【図３】図１の作動実施例図
【図４】本考案を二輪車両上に組み合わせた実施例図
【図５】図４の局部拡大実施例図
【図６】本考案をオートバイ上に組み合わせた実施例図
【図７】本考案の実施例２図
【図８】本考案をオートバイ上に組み合わせた実施例図
【図９】本考案の実施例３図
【図１０】本考案の実施例４図
【図１１】本考案をオートバイ上に組み合わせた実施例図
【図１２】本考案を自転車上に取り付けた実施例５図
【図１３】図１２の局部拡大実施例図
【符号の説明】
【００２８】
１０      本体
８０      本体
１１      外管
１２      切口
１３      内管
１４      バネ
２０      弾性部品
３０      スタンド
６０      スタンド
８３      スタンド
８６      スタンド
９３      スタンド
３１      枢接部
３２      壁または制御体
８８      壁または制御体
８９      壁または制御体
９４      壁または制御体
４０      嵌合管
４１      固定端
４２      開口端
４３      溝
４４      粗目部
５０      固定部品
５１      固定部品
６１      頭端
７０      連接部
７１      溝孔
８１      軸管
９１      軸管
８２      凹部
８５      凹部
９２      凹部
８４      支柱
８７      支柱
χ        車両
ｙ        フレーム
【図１】
0003138872.tif 000003
【図２】
0003138872.tif 000004
【図３】
0003138872.tif 000005
【図４】
0003138872.tif 000006
【図５】
0003138872.tif 000007
【図６】
0003138872.tif 000008
【図７】
0003138872.tif 000009
【図８】
0003138872.tif 000010
【図９】
0003138872.tif 000011
【図１０】
0003138872.tif 000012
【図１１】
0003138872.tif 000013
【図１２】
0003138872.tif 000014
【図１３】
0003138872.tif 000015